【手続補正書】
【提出日】平成27年1月29日(2015.1.29)
【手続補正１】
【補正対象書類名】明細書
【補正対象項目名】００１４
【補正方法】変更
【補正の内容】
【００１４】
上記目的を達成するために、請求項１に記載の画像形成装置は、画像形成装置であって、電源スイッチがオフ状態になると、前記画像形成装置を第１状態から第２状態に移行させ、前記電源スイッチがオン状態になると、前記画像形成装置を前記第２状態から前記第１状態に移行させる移行手段と、前記電源スイッチがオン状態になると、前記電源スイッチがオフ状態となっていたオフ時間を取得する取得手段と、前記取得手段により取得された前記オフ時間が所定の時間より短い場合には、システムリセットを発行すると共に前記画像形成装置を再起動し、前記取得手段により取得された前記オフ時間が前記所定の時間より長い場合には、前記システムリセットを発行せずに、前記画像形成装置を前記第２状態から前記第１状態に復帰させる制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
画像形成装置であって、
電源スイッチがオフ状態になると、前記画像形成装置を第１状態から第２状態に移行させ、前記電源スイッチがオン状態になると、前記画像形成装置を前記第２状態から前記第１状態に移行させる移行手段と、
前記電源スイッチがオン状態になると、前記電源スイッチがオフ状態となっていたオフ時間を取得する取得手段と、
前記取得手段により取得された前記オフ時間が所定の時間より短い場合には、システムリセットを発行すると共に前記画像形成装置を再起動し、前記取得手段により取得された前記オフ時間が前記所定の時間より長い場合には、前記システムリセットを発行せずに、前記画像形成装置を前記第２状態から前記第１状態に復帰させる制御手段と、
を備えることを特徴とする画像形成装置。
【請求項２】
前記制御手段は、前記システムリセットを発行する前に、前記画像形成装置のシャットダウン処理を実行する、ことを特徴とする請求項１に記載の画像形成装置。
【請求項３】
前記第２状態は、サスペンド状態である、ことを特徴とする請求項１又は２に記載の画像形成装置。
【請求項４】
前記第２状態は、ハイバネーション状態である、ことを特徴とする請求項１又は請求項２に記載の画像形成装置。
【請求項５】
前記電源スイッチは、ユーザによって操作される、ことを特徴とする請求項１乃至４のいずれか１項に記載の画像形成装置。
【請求項６】
前記電源スイッチがオフ状態になって前記画像形成装置が前記第１状態から前記第２状態に移行する前に、前記画像形成装置の状態を示す情報を記憶する記憶手段、をさらに備え、
前記制御手段は、前記記憶手段に記憶される前記情報を使って、前記画像形成装置を前記第２状態から前記第１状態に復帰させる、ことを特徴とする請求項１乃至５のいずれか１項に記載の画像形成装置。
【請求項７】
画像形成装置の制御方法であって、
電源スイッチがオフ状態になると、前記画像形成装置を第１状態から第２状態に移行させ、前記電源スイッチがオン状態になると、前記画像形成装置を前記第２状態から前記第１状態に移行させる移行ステップと、
前記電源スイッチがオン状態になると、前記電源スイッチがオフ状態となっていたオフ時間を取得する取得ステップと、
前記取得ステップにより取得された前記オフ時間が所定の時間より短い場合には、システムリセットを発行すると共に前記画像形成装置を再起動し、前記取得ステップにより取得された前記オフ時間が前記所定の時間より長い場合には、前記システムリセットを発行せずに、前記画像形成装置を前記第２状態から前記第１状態に復帰させる制御ステップと、
を備えたことを特徴とする制御方法。
【請求項８】
画像形成装置の制御方法をコンピュータに実行させるためのプログラムであって、
前記制御方法は、
電源スイッチがオフ状態になると、前記画像形成装置を第１状態から第２状態に移行させ、前記電源スイッチがオン状態になると、前記画像形成装置を前記第２状態から前記第１状態に移行させる移行ステップと、
前記電源スイッチがオン状態になると、前記電源スイッチがオフ状態となっていたオフ時間を取得する取得ステップと、
前記取得ステップにより取得された前記オフ時間が所定の時間より短い場合には、システムリセットを発行すると共に前記画像形成装置を再起動し、前記取得ステップにより取得された前記オフ時間が前記所定の時間より長い場合には、前記システムリセットを発行せずに、前記画像形成装置を前記第２状態から前記第１状態に復帰させる制御ステップと、
を備えたことを特徴とするプログラム。
【請求項９】
画像形成装置であって、
電源スイッチがオフ状態になった場合に前記画像形成装置を第１状態から第２状態に移行する第１移行手段と、
前記電源スイッチがオフ状態になった場合に、第１時刻として現在時刻を取得する第１取得手段と、
前記電源スイッチがオン状態になった場合に前記画像形成装置を前記第２状態から前記第１状態に移行する第２移行手段と、
前記電源スイッチがオン状態になった場合に、第２時刻として現在時刻を取得する第２取得手段と、
前記第１取得手段により取得された前記第１時刻と前記第２取得手段により取得された前記第２時刻との間の経過時間が所定時間より短い場合に、システムリセットを発行して前記画像形成装置を再起動させる制御手段と、
を備えたことを特徴とする画像形成装置。
【請求項１０】
前記制御手段は、前記経過時間が、前記所定時間より長い場合、前記システムリセットを発行しない、ことを特徴とする請求項９に記載の画像形成装置。
【請求項１１】
前記制御手段は、前記システムリセットを発行する前に、前記画像形成装置のシャットダウン処理を実行する、ことを特徴とする請求項９又は１０に記載の画像形成装置。
【請求項１２】
前記第２状態は、サスペンド状態である、ことを特徴とする請求項９乃至１１のいずれか１項に記載の画像形成装置。
【請求項１３】
前記第２状態は、ハイバネーション状態である、ことを特徴とする請求項９乃至１２のいずれか１項に記載の画像形成装置。
【請求項１４】
前記電源スイッチは、ユーザによって操作される、ことを特徴とする請求項９乃至１３のいずれか１項に記載の画像形成装置。
【請求項１５】
前記電源スイッチがオフ状態になって前記画像形成装置が前記第１状態から前記第２状態に移行する前に、前記画像形成装置の状態を示す情報を記憶する記憶手段、をさらに備え、
前記第２移行手段は、前記記憶手段に記憶される前記情報を使って、前記画像形成装置を前記第２状態から前記第１状態に移行させる、ことを特徴とする請求項９乃至１４のいずれか１項に記載の画像形成装置。
【請求項１６】
画像形成装置の制御方法であって、
電源スイッチがオフ状態になった場合に前記画像形成装置を第１状態から第２状態に移行する第１移行ステップと、
前記電源スイッチがオフ状態になった場合に、第１時刻として現在時刻を取得する第１取得ステップと、
前記電源スイッチがオン状態になった場合に前記画像形成装置を前記第２状態から前記第１状態に移行する第２移行ステップと、
前記電源スイッチがオン状態になった場合に、第２時刻として現在時刻を取得する第２取得ステップと、
前記第１取得ステップにより取得された前記第１時刻と前記第２取得ステップにより取得された前記第２時刻との間の経過時間が所定時間より短い場合に、システムリセットを発行して前記画像形成装置を再起動させる制御ステップと、
を備えたことを特徴とする制御方法。
【請求項１７】
画像形成装置の制御方法をコンピュータに実行させるためのプログラムであって、
前記制御方法は、
画像形成装置の制御方法であって、
電源スイッチがオフ状態になった場合に前記画像形成装置を第１状態から第２状態に移行する第１移行ステップと、
前記電源スイッチがオフ状態になった場合に、第１時刻として現在時刻を取得する第１取得ステップと、
前記電源スイッチがオン状態になった場合に前記画像形成装置を前記第２状態から前記第１状態に移行する第２移行ステップと、
前記電源スイッチがオン状態になった場合に、第２時刻として現在時刻を取得する第２取得ステップと、
前記第１取得ステップにより取得された前記第１時刻と前記第２取得ステップにより取得された前記第２時刻との間の経過時間が所定時間より短い場合に、システムリセットを発行して前記画像形成装置を再起動させる制御ステップと、
を備えたことを特徴とするプログラム。